(57)【要約】    【課題】実際にどのような眉毛に仕上がるかというイメージを施術者が被施術者に対して与える作業を、容易且つ好適に行うことができる疑似眉毛の設置用用具を提供することを課題とする。    【解決手段】基材と、該基材の表面側に植設された多数の植毛材によって形成される疑似眉毛とが具備されていることを特徴とする。【選択図】図１
2017155388.tif 000002
【特許請求の範囲】
【請求項１】
基材と、
該基材の表面側に植設された多数の植毛材によって形成される疑似眉毛と
が具備されていることを特徴とする疑似眉毛の設置用用具。
【請求項２】
前記基材は、眉毛の部分に設置された際に、眉毛が表面側に透視されるように形成されている請求項１記載の疑似眉毛の設置用用具。
【請求項３】
前記基材が、可撓性を有して形成されている請求項１又は２記載の疑似眉毛の設置用用具。
【請求項４】
前記基材には、前記疑似眉毛が設けられた部分以外の部分に、把持部が形成されている請求項１乃至３のいずれかに記載の疑似眉毛の設置用用具。
【請求項５】
前記基材の裏面側は、前記眉毛の周囲の皮膚に接着可能となるように形成されている請求項１乃至４のいずれかに記載の疑似眉毛の設置用用具。
【発明の詳細な説明】
【技術分野】
【０００１】
本発明は、メイクアップの一環として眉毛を整える際に、所望の形状の眉毛を選定すべく、選定の対象となる眉毛の形状を模した疑似眉毛を、眉毛の部分に重ねるように設置するための疑似眉毛の設置用用具に関する。
【背景技術】
【０００２】
従来から、メイクアップの一環として、眉毛を整えることが行われている。このような眉毛のメイクアップは、眉形状を型取りすることができるような眉用プレート、或いは、たとえば特許文献２記載の眉毛描き用プレートや、特許文献３記載の眉描き用器具等によって、自分自身で眉形状を型取りすることによって行うこともできるが、このような型取りする用具を用いて自分で作業を行って好みの眉毛の形状となるように整えるのは容易ではなく、そのような作業には限界がある。
【０００３】
そのため、近年では、たとえば化粧品会社の美容部員等の施術者によって、顧客である被施術者の眉毛を整える等のメイクアップが行われている。このような専門家たる被施術者によって眉毛のメイクアップを行う場合でも、どのような眉毛に整えるかを被施術者に具現化して示すことができるような用具を用いることが望ましく、そのような用具に係る発明として、たとえば特許文献１のような特許出願がなされている。
【０００４】
この特許文献１に記載された発明は、眉を整えるために用いられるアドバイスツールを対象とするもので、バランスのとれた眉形状の典型例が複数例表示されており、各例ごとに、その眉頭と眉山と眉尻の位置が、目および鼻との位置関係から把握できるよう補助線が記入された写真もしくはイラストで示されているものである（特許文献１の請求項１）。
【０００５】
しかし、この特許文献１に記載されたアドバイスツールでは、眉毛の形がカラー写真やイラストによって表示されているにすぎないものであるので、眉頭と眉山と眉尻の位置が、目および鼻との位置関係から把握できるよう補助線が記入されるという構成が採用されているにしても、実際にどのような眉毛に仕上がるかというイメージを、施術者が被施術者に対して与えるのには限界がある。
【先行技術文献】
【特許文献】
【０００６】
【特許文献１】特開２００５−３１９１０９号公報
【特許文献２】特開２００２−１１２８３３号公報
【特許文献３】特開２００２−２９１５３０号公報
【発明の概要】
【発明が解決しようとする課題】
【０００７】
本発明は、このような点に鑑みてなされたもので、実際にどのような眉毛に仕上がるかというイメージを施術者が被施術者に対して与える作業を、容易且つ好適に行うことができる疑似眉毛の設置用用具を提供することを課題とする。
【課題を解決するための手段】
【０００８】
本発明は、このような課題を解決するためになされたもので、基材と、該基材の表面側に植設された多数の植毛材によって形成される疑似眉毛とが具備されていることを特徴とする疑似眉毛の設置用用具を提供するものである。
【０００９】
かかる構成からなる疑似眉毛の設置用用具は、基材を眉毛の部分に設置して使用される。このように基材を眉毛の部分に設置することで、基材の表面側に設けられた疑似眉毛があたかも真正の眉毛のように顔の表面に設置されることとなる。
【００１０】
この場合において、疑似眉毛は、基材の表面側に植設された多数の植毛材によって形成されているので、真正の眉毛が生えているようなイメージが顔に現出されることとなる。
【００１１】
基材は、好ましくは、眉毛の部分に設置された際に、眉毛が表面側に透視されるように形成される。眉毛が表面側に透視されるように基材が形成されている場合には、基材の表面側に設けられた疑似眉毛が、眉毛に重なるようにして基材を眉毛の部分に設置することができ、そのために、疑似眉毛があたかも真正の眉毛のように顔の表面に設置されることとなる。
【００１２】
また基材は、好ましくは可撓性を有して形成される。基材が可撓性を有することで、顔の表面に極力沿うように基材が眉毛の部分に設置されることとなる。
【００１３】
また、基材には、疑似眉毛が設けられた部分以外の部分に、把持部が形成されていてもよい。疑似眉毛の部分以外の部分に把持部が形成されていることで、疑似眉毛の部分に手を触れることなく基材を把持することができ、それによって基材を眉毛の部分に設置する作業を容易に行うことができ、疑似眉毛の設置用用具の取り扱いが容易となる。
【００１４】
さらに、基材の裏面側は、眉毛の周囲の皮膚に接着可能となるように形成されていてもよい。かかる構成とされる場合には、基材の裏面側を眉毛の周囲の皮膚に接着させることができるので、基材を手で把持せずに、基材を眉毛の部分に設置した状態を維持することができる。
【発明の効果】
【００１５】
以上のように、本発明によって、実際にどのような眉毛に仕上がるかというイメージを施術者が被施術者に対して与える作業を、容易且つ好適に行うことができる疑似眉毛の設置用用具を提供することが可能となる。
【図面の簡単な説明】
【００１６】
【図１】一実施形態の疑似眉毛の設置用用具の平面図。
【図２】図１のI−I線断面図。
【図３】同実施形態の疑似眉毛の設置用用具の使用状態を示す平面図。
【図４】他の実施形態の疑似眉毛の設置用用具の平面図。
【図５】図４のII−II線断面図。
【図６】同実施形態の設置用用具の離型材を剥離した状態を示す断面図。
【図７】同実施形態の設置用用具を被施術者の皮膚に貼着した状態を示す断面図。
【発明を実施するための形態】
【００１７】
本実施形態の疑似眉毛の設置用用具は、上記のように、基材と、該基材の表面側に植設された多数の植毛材によって形成される疑似眉毛とが具備されているものである。
【００１８】
基材は、眉毛の部分に設置された際に、眉毛が表面側に透視されるように形成されることが好ましい。
【００１９】
基材の材質としては、たとえば合成樹脂が例示される。合成樹脂としては、たとえばポリエチレン、ポリプロピレン、ポリエチレンテレフタレート等のポリエステル等が例示される。ただし、合成樹脂以外の材質のものを基材として使用することも可能である。
【００２０】
基材を眉毛の部分に設置した際に、眉毛が表面に明瞭に現出されるためには、基材としては透明なものを使用するのが望ましいが、いわゆる半透明なものを基材として使用することも可能である。すなわち、「透視されるように形成されている」とは、基材が透明に形成されている場合の他、半透明に形成されている場合も含むことを意味する。
【００２１】
基材の形状は問うものではなく、たとえば長円状のもの、長方形状のもの等が例示される。長円状に形成される場合、円弧部分以外の２つの長辺部はともに直線状に形成されていてもよく、また、ともに眉毛の輪郭に沿った曲線状に形成されていてもよい、さらに、一方の長辺部のみ眉毛の輪郭に沿った曲線状に形成され、他方の長辺部は直線状に形成されたものであってもよい。
【００２２】
また基材は、好ましくは可撓性を有して形成される。たとえば保形性を有し且つ可撓性を有する合成樹脂製の板状部材のようなもの、保形性を有しないが可撓性を有する合成樹脂製フィルムのようなもの等を使用することができる。
【００２３】
疑似眉毛を形成する植毛材としては、たとえば繊維からなるもの、とりわけステープルと称される短繊維からなるものを好適に使用できる。ただし、繊維以外の材質のものを使用することもできる。
【００２４】
疑似眉毛は、たとえば植毛材の一端側が接着剤によって基材に接着され、植毛材の他端側が基材に接着されないで、該植毛材が基材の表面側で起立状態となるようにして植設される。
【００２５】
疑似眉毛を基材の表面上に設ける位置は特に限定されるものではないが、基材の全域に疑似眉毛を設けず、基材にスペースを残すようにして疑似眉毛を設けることができる。この場合には、そのスペース部分は、手で把持することができる把持部として形成される。基材が、上記のように保形性を有し且つ可撓性を有する合成樹脂製の板状部材で形成されている場合には、スペース部分が広くなるように上記把持部を設けることが望ましい。
【００２６】
また、疑似眉毛は、基材の長手方向の両辺部のうち、一方の辺部に近い位置に設けるのが望ましい。かかる一方の辺部を眼の側に位置させることにより、疑似眉毛が眉毛の位置に重なるように基材を設置することができ、その際に、基材が眼に当たるのを好適に防止することができる。
【００２７】
さらに、基材の裏面側には、眉毛の周囲の皮膚に接着可能となるように接着剤が設けられていてもよい。このように基材の裏面側に接着剤が設けられる場合には、基材が眉毛の周囲の皮膚に接着されるので、上記のようにスペース部分が広くなるような把持部を形成する必要はない。基材が、上記のような保形性を有しない合成樹脂製フィルムで形成されている場合には、基材の裏面に接着剤を設けることが望ましい。また、このように基材の裏面に接着剤を設ける場合には、さらにその接着剤の外面側に離型材を設けることが望ましい。
【００２８】
以下、本発明のより具体的な実施形態について、図面に従って説明する。
【００２９】
（実施形態１）
図１は、一実施形態の疑似眉毛の設置用用具の平面図、図２は図１のI−I線断面図である。本実施形態の疑似眉毛の設置用用具１は、図１及び図２に示すように、基材２と、疑似眉毛３とが具備されて構成されている。
【００３０】
基材２は、保形性を有するとともに可撓性を有する合成樹脂製の透明な板状部材で形成されている。また、図１に示すように、眉頭から眉尻に向かう方向が長手方向となるような横長の形状に形成されている。より具体的には、該基材２の短手方向の両側辺部４、４が略半円状に形成され、長手方向の上辺部５ａが直線状に形成され、長手方向の下辺部５ｂが、眉毛の下辺部に沿うような曲線状に形成されている。
【００３１】
疑似眉毛３は、前記基材２の表面側に植設された多数の植毛材６によって形成されている。植毛材６は、その一端６ａ側が基材２の表面に接着され、他端６ｂ側は接着されないで、起立状態となるように基材２の表面に植設されている。植毛材６は、合成繊維のステープルで構成されている。
【００３２】
また疑似眉毛３は、図１に示すように、上縁部７ａと下縁部７ｂとが真正の眉毛を模した曲線状となるような平面形状に形成されている。そして、疑似眉毛３の下縁部７ｂは前記基材２の長手方向の下辺部５ｂの近辺に位置し、疑似眉毛３の上縁部７ａは前記基材２の長手方向の上辺部５ａから離間するように、前記疑似眉毛３が前記基材２の表面上に設けられている。このような基材２の表面上の位置に疑似眉毛３が設けられている結果、疑似眉毛３が存在しない基材２の表面上の位置は、手で把持することができる把持部８として形成されている。
【００３３】
上記構成からなる疑似眉毛の設置用用具１は、たとえば化粧品会社の美容部員等の施術者が、顧客である被施術者の眉毛を整える等のメイクアップ用として使用される。
【００３４】
このような疑似眉毛の設置用用具１を使用するに先だって、施術者は被施術者に対し、被施術者が自分の眉毛をどのように整えたいかについてカウンセリングを行う。そのようなカウンセリングを行うに際しては、形状の異なる疑似眉毛３が、それぞれ基材２の表面上に設けられた複数種類の設置用用具１が予め準備され、被施術者が希望する形状の疑似眉毛３が基材２の表面上に設けられた設置用用具１を、先ず施術者が被施術者の眉毛の部分に設置する。
【００３５】
より具体的には、図３に示すように、施術者は設置用用具１の基材２の把持部８を手１１で把持し、基材２の表面上に設けられた疑似眉毛３が、被施術者の眉毛に重なるように、基材２を被施術者の眉毛の部分に設置する。
【００３６】
この場合において、基材２の把持部８は、疑似眉毛３が設けられている部分以外の基材２の部分に形成されているので、施術者が把持部８を把持する際に、疑似眉毛３の部分に手を触れることなく把持部８を把持することができ、基材２を眉毛の部分に設置する作業を容易に行うことができる。特に、基材２は保形性を有しているので、基材２を把持して眉毛の部分に設置する作業を一層容易に行うことができる。また、基材２は可撓性をも有しているので、顔に沿わせつつ基材２を眉毛の部分に設置する作業を容易に行うことができる。
【００３７】
また、この場合において、基材２は、透明な板状部材で形成されているので、基材２の表面側に設けられた疑似眉毛３が、被施術者の眉毛に重なるようにして基材２を被施術者の眉毛の部分に設置することができ、そのために、疑似眉毛３があたかも真正の眉毛のように被施術者の顔の表面に現出されることとなる。
【００３８】
さらに、疑似眉毛３は、基材２の表面側に植設された多数の植毛材６によって形成されているので、設置用用具１が被施術者の眉毛の部分に設置された際に、実際に被施術者の顔に眉毛が生えているようなイメージが現出されることとなる。
【００３９】
従って、施術者は、被施術者の顔の眉毛の部分に現出された疑似眉毛３を見て、予めカウンセリングを行った際の被施術者が希望する状態になっているかを判断し、被施術者が希望する状態になっていないと判断すれば、形状の異なる疑似眉毛３が基材２の表面側に設けられた他の設置用用具１を準備し、同様に基材２の表面上に設けられた疑似眉毛３が、被施術者の眉毛に重なるように、基材２を被施術者の眉毛の部分に設置する。
【００４０】
このようにして、被施術者が希望する形状の眉毛に近い疑似眉毛３を選定することができるまで、形状の異なる疑似眉毛３が基材２の表面上に設けられた設置用用具１を順次交換しつつ、被施術者の眉毛の部分に設置する。
【００４１】
そして、被施術者が希望する形状の眉毛に近い疑似眉毛３を選定することができれば、施術者は、その疑似眉毛３の形状に近い状態となるように被施術者の眉毛の形状を整える。
【００４２】
具体的には、被施術者の眉毛の形状が疑似眉毛３の形状に近い状態となるように、たとえば脱毛ワックスや毛抜き等を用いて被施術者の不要な眉毛を処理し、或いは化粧用のパウダーやペンシル等を用いて眉毛の足りない部分を描く等の処理を行うごときである。
【００４３】
（実施形態２）
図４は、他の一実施形態の疑似眉毛の設置用用具の平面図、図５は図４のII−II線断面図である。
【００４４】
本実施形態の疑似眉毛の設置用用具１も、基材２と、疑似眉毛３とが具備されて構成されているという基本的構成において、上記実施形態１の設置用用具１と共通する。
【００４５】
本実施形態では、基材２が柔軟な合成樹脂製の透明なフィルムシートで形成されており、この点で、保形性を有する合成樹脂製の透明な板状部材で基材２が形成されている上記実施形態１と相違する。ただし、可撓性を有している点では実施形態１と共通する。
【００４６】
本実施形態では、図４に示すように、基材２の平面形状が長方形状に形成されており、このような基材２の平面形状においても上記実施形態１と相違する。
【００４７】
さらに、本実施形態では、図５に示すように、基材２の裏面側に接着剤９を介して離型材１０が設けられており、この点においても、かかる接着剤９や離型材１０が設けられていない上記実施形態１と相違する。
【００４８】
本実施形態の疑似眉毛の設置用用具１を使用する場合には、図６に示すように、離型材１０を接着剤９から剥離した後、図７に示すように、接着剤９を介して基材２を被施術者の眉毛近辺の皮膚１２に貼着する。
【００４９】
本実施形態においても、上記実施形態１と同様に基材２が透明に形成されているので、基材２の表面側に設けられた疑似眉毛３が、被施術者の眉毛に重なるようにして基材２を被施術者の眉毛の部分に設置することができる。
【００５０】
本実施形態では、基材２が柔軟な剛性樹脂性フィルムシートで形成されているので、本実施形態の基材２は実施形態１に比べると保形性に劣り、施術者が基材２を把持して被施術者の眉毛の部分に当てがう作業を必ずしも容易に行うことはできない。しかし、本実施形態では基材２の裏面側に接着剤９が設けられており、接着剤９を介して基材２を被施術者の皮膚に貼着することができるので、一旦、基材２を被施術者の皮膚に貼着してしまえば、施術者が基材２を把持していなくても基材２を被施術者の眉毛の部分に設置した状態を維持することができるのである。
【００５１】
設置用用具１のその他の構成と使用方法については、上記実施形態１と共通するので、その詳細な説明は省略する。
【００５２】
（その他の実施形態）
尚、本発明の疑似眉毛の設置用用具１は、専門家たる施術者が顧客である被施術者の眉毛を整えるためのメイクアップの一環として使用することを主眼とするが、このような施術者が被施術者に対して使用する場合に限らず、一般の使用者が自分で好みのを眉毛を選定するために用いることも可能である。
【符号の説明】
【００５３】
１    設置用用具
２    基材
３    疑似眉毛
６    植毛材
６ａ  植毛材の一端
６ｂ  植毛材の他端
８    把持部
【図１】
2017155388.tif 000003
【図２】
2017155388.tif 000004
【図３】
2017155388.tif 000005
【図４】
2017155388.tif 000006
【図５】
2017155388.tif 000007
【図６】
2017155388.tif 000008
【図７】
2017155388.tif 000009